(57)【特許請求の範囲】
【請求項１】
プレキャストコンクリートよりなる階段ブロックであって、
ステップ面を有する階段部と、
前記階段部に隣接して配置され、前記階段部の昇降方向に沿ったスロープ面を有するスロープ部とを備え、
前記階段部の前記ステップ面の奥側端部は、前記スロープ面に整列し、
前記階段部における前記スロープ部側の側壁は、前記スロープ面へ傾斜する、階段ブロック。
【請求項２】
前記階段部は、昇降方向に連続する複数のステップ面を有する、請求項１記載の階段ブロック。
【発明の詳細な説明】
【技術分野】
【０００１】
この発明は階段ブロックに関し、特に、階段工事の際に用いられる階段ブロックに関するものである。
【背景技術】
【０００２】
図１５は従来の階段工事の施工順序を示した概略工程図である。
【０００３】
まず（１）を参照して、施工箇所の手前側（図の左側）に基礎砕石７１を介して基礎コンクリート７２を設置すると共に、昇降方向に対して均しコンクリートを施した設置面９を形成する。
【０００４】
次に（２）を参照して、設置面９の手前側（下方側）から、型枠７５によって階段の一部の外面を形成する。その後、型枠７５と設置面９との間に、図で示すように奥側（上方側）から生コンクリート７７を投入して固める。そして、生コンクリート７７が固まった後、型枠７５を取り外し、同様の手順で奥側の階段を形成する。
【０００５】
次に（３）を参照して、（２）の手順を繰り返すと、その昇降方向が設置面９に沿った形状の、複数のステップ面８０を有する階段７０が形成される。
【発明の概要】
【発明が解決しようとする課題】
【０００６】
上記のような従来の階段の施工方法では、現場において型枠を使用して階段を形成しているため、時間や手間の掛かるものとなっていた。特に、階段の昇降方向に沿ったスロープを同時に形成する際には、複雑な型枠が必要となり更に時間や手間が掛かるため、作業効率が悪く、長い工事期間が必要となっていた。
【０００７】
この発明は、上記のような課題を解決するためになされたもので、階段工事における工事期間を短縮化することの出来る階段ブロックを提供することを目的とする。
【課題を解決するための手段】
【０００８】
上記の目的を達成するために、請求項１記載の発明は、プレキャストコンクリートよりなる階段ブロックであって、ステップ面を有する階段部と、階段部に隣接して配置され、階段部の昇降方向に沿ったスロープ面を有するスロープ部とを備え、階段部のステップ面の奥側端部は、スロープ面に整列し、階段部におけるスロープ部側の側壁は、スロープ面へ傾斜するものである。
【０００９】
このように構成すると、階段ブロックを設置するだけで、ステップ面とスロープ面とが形成される。又、スロープ面は常にステップ面以下の高さとなる。更に、ステップ面の側方の角が鈍角になる。
【００１８】
請求項２記載の発明は、請求項１記載の発明の構成において、階段部は、昇降方向に連続する複数のステップ面を有するものである。
【００１９】
このように構成すると、複数のステップ面が一度に設置される。
【発明の効果】
【００２４】
以上説明したように、請求項１記載の発明は、階段ブロックを設置するだけで、ステップ面とスロープ面とが形成されるため、工事期間が短縮化される。又、スロープ面は常にステップ面以下の高さとなるため、用途に応じた使用が可能になる。更に、ステップ面の側方の角が鈍角になるため、安全性が向上する。
【００２９】
請求項２記載の発明は、請求項１記載の発明の効果に加えて、複数のステップ面が一度に設置されるため、効率的な工事となる。
【図面の簡単な説明】
【００３２】
【図１】この発明の第１の実施の形態による階段ブロックを示す斜視図である。
【図２】図１で示したＩＩ−ＩＩラインの断面図である。
【図３】図１で示した階段ブロックを用いた階段工事の施工順序を示す概略工程図である。
【図４】この発明の第２の実施の形態による階段ブロックを示す斜視図である。
【図５】図４で示したＶ−Ｖラインの断面図である。
【図６】この発明の第３の実施の形態による階段ブロックを示す斜視図である。
【図７】図６で示したＶＩＩ−ＶＩＩラインの断面図である。
【図８】この発明の第４の実施の形態による階段ブロックを示す斜視図である。
【図９】図８で示したＩＸ−ＩＸラインから見た図である。
【図１０】この発明の第５の実施の形態による階段ブロックを示す斜視図である。
【図１１】図１０で示したＸＩ−ＸＩラインから見た図である。
【図１２】各実施の形態による階段ブロックを組み合わせた第１の階段ブロック群を示す斜視図である。
【図１３】各実施の形態による階段ブロックを組み合わせた第２の階段ブロック群を示す斜視図である。
【図１４】各実施の形態による階段ブロックを組み合わせた第３の階段ブロック群を示す斜視図である。
【図１５】従来の階段工事の施工順序を示した概略工程図である。
【発明を実施するための形態】
【００３３】
図１はこの発明の第１の実施の形態による階段ブロックを示す斜視図であり、図２は図１で示したＩＩ−ＩＩラインの断面図である。
【００３４】
これらの図を参照して、プレキャストコンクリートよりなる階段ブロック１１は、下方階段部２１ａと、下方階段部２１ａに対してその昇降方向（図１の左下から右上に向かう方向）に接続された中間階段部２１ｂと、中間階段部２１ｂに対してその昇降方向に接続された上方階段部２１ｃとから構成されている。下方階段部２１ａは下方ステップ面であるステップ面４１ａを有しており、中間階段部２１ｂは中間ステップ面であるステップ面４１ｂを有しており、上方階段部２１ｃは上方ステップ面であるステップ面４１ｃを有している。
【００３５】
このように、階段ブロック１１は単体で三つのステップ面４１ａ〜４１ｃを有しており、以下に説明する階段工事の際に効果を発揮する。ここで、階段ブロック１１を用いた階段工事の施工について説明する。
【００３６】
図３は図１で示した階段ブロックを用いた階段工事の施工順序を示す概略工程図である。
【００３７】
まず（１）を参照して、施工箇所の手前側（図の左側）に基礎砕石７１を介して基礎コンクリート７２を設置すると共に、昇降方向に対して均しコンクリートを施した設置面９を形成する。
【００３８】
次に（２）を参照して、手前側（下方側）から、階段ブロック１１ａを図示しないスペーサーを介して設置面９から所定距離だけ離れた状態に設置する。その後、階段ブロック１１ａと設置面９との間に生コンクリート７を奥側（上方側）から、階段ブロック１１ａの奥側端部の手前まで投入し、生コンクリート７を固める。そして、生コンクリート７が固まった後、階段ブロック１１ａと同様に奥側に次の階段ブロックを設置する。このように階段ブロックを積み上げていくことによって、階段ブロックの各々がコンクリートによって固定されると共に相互に接続されるため、階段ブロックの各々の設置状態が安定する。
【００３９】
次に（３）を参照して、（２）の手順を繰り返すと、階段ブロック１１ａ〜１１ｃがコンクリート８を介して設置面９に沿った昇降方向に設置される。このようにして、階段５が形成される。
【００４０】
階段５はこのようにして形成されるため、階段ブロック１１ａ〜１１ｃの各々を設置するだけで、複雑な型枠等を必要とせずに複数のステップ面４１を有する階段部が形成される。従って、階段工事における作業効率が向上し、工事期間を短縮化することが出来る。
【００４１】
図４はこの発明の第２の実施の形態による階段ブロックを示す斜視図であり、図５は図４で示したＶ−Ｖラインの断面図である。
【００４２】
これらの図を参照して、プレキャストコンクリートよりなる階段ブロック１２は、スロープ面５２を有するスロープ部３２と、スロープ部３２の一方側に隣接して配置された第１階段部である階段部２２と、スロープ部３２の他方側に隣接して配置された第２階段部である階段部２３とから構成されている。階段部２２は、スロープ面５２の傾斜方向に沿った第１ステップ面である、昇降方向に連続する複数のステップ面４２ａ〜４２ｃを有している。又、階段部２３は、ステップ面４２ａ〜４２ｃに対してスロープ部３２を介して対称構造の第２ステップ面であるステップ面４３ａ〜４３ｃを有している。更に、ステップ面４２ａ〜４２ｃ、４３ａ〜４３ｃの手前側端部６１ａ〜６１ｃ、６２ａ〜６２ｃの各々は、スロープ面５２に整列するように形成されている。
【００４３】
このように形成された階段ブロック１２は、図３で示した階段工事と同様の施工方法において、階段ブロック１２を設置するだけで、スロープ部３２の一方側と他方側とにステップ面４２ａ〜４２ｃ、４３ａ〜４３ｃが形成されると共に、スロープ面５２が形成される。従って、スロープ面５２を有する階段の工事期間が短縮化される。
【００４４】
又、階段部２２、２３の各々の昇降方向に対して連続する複数のステップ面４２ａ〜４２ｃ、４３ａ〜４３ｃを備えているため、階段ブロック１２単体の設置によって複数のステップ面４２ａ〜４２ｃ、４３ａ〜４３ｃが一度に設置される。従って、効率的な階段工事をすることが出来る。
【００４５】
又、ステップ面４２ａ〜４２ｃ、４３ａ〜４３ｃの手前側端部６１ａ〜６１ｃ、６２ａ〜６２ｃの各々がスロープ面５２に整列しているため、スロープ面５２は常にステップ面４２ａ〜４２ｃ、４３ａ〜４３ｃ以上の高さとなる。従って、このようなスロープ面５２の配置形状が求められる条件等、用途に応じた階段ブロック１２の使用が可能になる。
【００４６】
図６はこの発明の第３の実施の形態による階段ブロックを示す斜視図であり、図７は図６で示したＶＩＩ−ＶＩＩラインの断面図である。
【００４７】
尚、説明に当たっては、基本的には第２の実施の形態によるものと同一であるため、その相違点を中心に説明する。
【００４８】
これらの図を参照して、この実施の形態による階段ブロック１３においては、スロープ面５３の配置形状が異なっている。即ち、ステップ面４２ａ〜４２ｃ、４３ａ〜４３ｃの奥側端部６３ａ〜６３ｃ、６４ａ〜６４ｃの各々は、スロープ部３３のスロープ面５３に整列するように形成されている。そのため、スロープ面５３は常にステップ面４２ａ〜４２ｃ、４３ａ〜４３ｃ以下の高さとなる。従って、このようなスロープ面５３の配置形状が求められる条件等、用途に応じた階段ブロック１３の使用が可能になる。
【００４９】
図８はこの発明の第４の実施の形態による階段ブロックを示す斜視図であり、図９は図８で示したＩＸ−ＩＸラインから見た図である。
【００５０】
尚、説明に当たっては、基本的には第２の実施の形態によるものに対応したものであるため、その相違点を中心に説明する。
【００５１】
これらの図を参照して、この実施の形態による階段ブロック１４においては、第２階段部が配置されていない。即ち、スロープ部３４の一方側にのみ、階段部２２が配置された形状となっている。階段ブロック１４はこのように形成されているため、後述する階段ブロックを組み合わせた階段ブロック群を多様化することが出来る。
【００５２】
又、この実施の形態による階段ブロック１４では、スロープ部３４における階段部２２側の側壁６６ａ〜６６ｃの各々が、ステップ面４２ａ〜４２ｃの各々へ傾斜するように形成されている。従って、スロープ面５４の角θ１が鈍角になるため、使用者によるステップ面４２ａ〜４２ｃとスロープ面５４との間の移動時における安全性が向上する。
【００５３】
図１０はこの発明の第５の実施の形態による階段ブロックを示す斜視図であり、図１１は図１０で示したＸＩ−ＸＩラインから見た図である。
【００５４】
尚、説明に当たっては、基本的には第３の実施の形態によるものに対応したものであるため、その相違点を中心に説明する。
【００５５】
これらの図を参照して、この実施の形態による階段ブロック１５においては、第２階段部が配置されていない。即ち、スロープ部３５の一方側にのみ、階段部２２が配置された形状となっている。階段ブロック１５はこのように形成されているため、後述する階段ブロックを組み合わせた階段ブロック群を多様化することが出来る。
【００５６】
又、この実施の形態による階段ブロック１５では、階段部２２におけるスロープ部３５側の側壁６７ａ〜６７ｃの各々が、スロープ面５５へ傾斜するように形成されている。従って、ステップ面４２ａ〜４２ｃの各々の側方の角θ２が鈍角になるため、使用者によるステップ面４２ａ〜４２ｃとスロープ面５５との間の移動時における安全性が向上する。
【００５７】
次に、各実施の形態による階段ブロックを組み合わせて構成される階段ブロック群について説明する。
【００５８】
図１２は第１の階段ブロック群を示す斜視図である。
【００５９】
図を参照して、第１の階段ブロック群８１は、中央に配置された第１の実施の形態による階段ブロック１１と、階段ブロック１１の一方側に隣接して配置された、第４の実施の形態による階段ブロック１４ａと、階段ブロック１１の他方側に隣接して配置された、階段ブロック１４ａに対して階段ブロック１１を介して対称構造の階段ブロック１４ｂとから構成されている。
【００６０】
このように構成された階段ブロック群８１においては、その中央部に広いステップ面４１、４２ａ、４２ｂが形成されると共に、両端側の各々にはスロープ面５４ａ、５４ｂが形成される。従って、使い勝手の良い階段ブロック群８１が効率的に形成される。
【００６１】
尚、階段工事の際には、図３で示した施工方法と同様に、階段ブロック群８１を下方側から順に設置面に沿って積み上げるように配置していけば良い。即ち、階段ブロック１１、１４ａ、１４ｂの各々と同様に、階段ブロック群８１を設置するだけで、上述した形状の階段を形成することが出来る。
【００６２】
図１３は第２の階段ブロック群を示す斜視図である。
【００６３】
図を参照して、第２の階段ブロック群８２は、第４の実施の形態による階段ブロック１４ａと、そのスロープ部３４ｂと階段ブロック１４ａのスロープ部３４ａとが隣接するように配置された、階段ブロック１４ａに対して対称構造の階段ブロック１４ｂとが中央に配置されている。そして、階段ブロック１４ａ、１４ｂの各々には、第１の実施の形態による階段ブロック１１ａ、１１ｂの各々が隣接して配置されている。
【００６４】
このように構成された階段ブロック群８２においては、その中央部にスロープ面５４ａ、５４ｂが形成されると共に、スロープ面５４ａ、５４ｂの両側に広いステップ面４１ａ、４２ａとステップ面４１ｂ、４２ｂとが形成される。従って、使い勝手の良い階段ブロック群８２が効率的に形成される。
【００６５】
尚、階段工事の際の施工方法は、第１の階段ブロック群８１と同様である。即ち、階段ブロック１１ａ、１１ｂ、１４ａ、１４ｂの各々と同様に、階段ブロック群８２を設置するだけで、上述した形状の階段を形成することが出来る。
【００６６】
図１４は第３の階段ブロック群を示す斜視図である。
【００６７】
図を参照して、第３の階段ブロック群８３は、第５の実施の形態による階段ブロック１５ａと、そのスロープ部３５ｂと階段ブロック１５ａのスロープ部３５ａとが隣接するように配置された、階段ブロック１５ａに対して対称構造の階段ブロック１５ｂとが中央に配置されている。そして、階段ブロック１５ａの階段部２２ａ側には、階段ブロック１５ｂと同一形状の階段ブロック１５ｃが隣接して配置されている。更に、階段ブロック１５ｂの階段部２２ｂ側には、階段ブロック１５ａと同一形状の階段ブロック１５ｄが隣接して配置されている。
【００６８】
このように構成された階段ブロック群８３においては、その中央部にスロープ面５５ａ、５５ｂが形成され、その両端部にスロープ面５５ｃ、５５ｄが形成されると共に、その中央部のスロープ面５５ａ、５５ｂの両側に階段部２２ａ、２２ｃと階段部２２ｂ、２２ｄとが形成される。従って、使い勝手の良い階段ブロック群８３が効率的に形成される。
【００６９】
又、第５の実施の形態による階段ブロックにおいて説明した通り、階段ブロック群８３においては、階段部２２ａ、２２ｃ及び階段部２２ｂ、２２ｄの各々のステップ面における両側方の角が鈍角となる。そのため、使用者によるスロープ面５５ａ、５５ｂ及びスロープ面５５ｃ、５５ｄと、階段部２２ａ、２２ｃ及び階段部２２ｂ、２２ｄとの間の移動時における安全性が向上する。
【００７０】
尚、階段工事の際の施工方法は、第１の階段ブロック群８１と同様である。即ち、階段ブロック１５ａ〜１５ｄの各々と同様に、階段ブロック群８３を設置するだけで、上述した形状の階段を形成することが出来る。
【００７１】
このように、第１〜第５の実施の形態による階段ブロックや対称構造の階段ブロックを用いることによって、用途に応じた種々の階段ブロック群８１〜８３を形成することが出来る。そして、階段ブロック群は、上述した第１〜第３の階段ブロック群８１〜８３に限らず、階段ブロックの各々を組み合わせて、種々の他の形状に形成しても良いことは言うまでも無い。
【００７２】
尚、上記の第１の実施の形態では、階段ブロックは３つの階段部によって構成されているが、階段ブロックは少なくとも２つ以上の階段部で構成されていれば良い。
【００７３】
又、上記の第２〜第５の実施の形態では、階段部に対して３つのステップ面を有しているが、３つに限らず複数のステップ面を有していれば良い。又は、１つのステップ面のみを有していても良い。
【００７４】
更に、上記の第２〜第５の実施の形態では、ステップ面の手前側端部又は奥側端部がスロープ面に整列しているが、ステップ面の手前側端部と奥側端部との間の位置がスロープ面に整列していても良い。
【００７５】
更に、上記の各実施の形態では、階段工事の施工方法を特定しているが、施工上問題の無い方法であれば、他の施工方法であっても同様に適用出来る。
【００７６】
更に、上記の各実施の形態では、ステップ面は平坦に形成されているが、ステップ面に溝や凹凸等の滑り止め加工を施しても良い。これによって、使用者の安全性が更に向上する。
【符号の説明】
【００７７】
１１〜１５…階段ブロック
２１〜２３…階段部
３２〜３５…スロープ部
４１〜４３…ステップ面
５２〜５５…スロープ面
６１、６２…手前側端部
６３、６４…奥側端部
６６、６７…側壁
尚、各図中同一符号は同一又は相当部分を示す。
【図１】
0005603093.tif 000002
【図２】
0005603093.tif 000003
【図３】
0005603093.tif 000004
【図４】
0005603093.tif 000005
【図５】
0005603093.tif 000006
【図６】
0005603093.tif 000007
【図７】
0005603093.tif 000008
【図８】
0005603093.tif 000009
【図９】
0005603093.tif 000010
【図１０】
0005603093.tif 000011
【図１１】
0005603093.tif 000012
【図１２】
0005603093.tif 000013
【図１３】
0005603093.tif 000014
【図１４】
0005603093.tif 000015
【図１５】
0005603093.tif 000016